(57)【特許請求の範囲】
【請求項１】
枠本体の前面にパネル枠が脱着可能である分離式看板において、
枠本体はその上面横方向にガイド溝を備え、
ガイド溝の前縁の溝方向少なくとも二箇所に開口部を備え、当該開口部は前記ガイド溝に連通し、
パネル枠はパネルを交換可能であり、その背面上部の少なくとも二箇所に嵌合具を備え、
当該嵌合具は前記開口部から前記ガイド溝内に出し入れでき、当該ガイド溝内で溝に沿ってスライドできてパネル枠を枠本体の横幅方向所望位置にセットできるようにした、
ことを特徴とした分離式看板。
【請求項２】
請求項１記載の分離式看板において、
枠本体はその背面に係止具を備え、その係止具を天井の下方に吊下げられている天吊り枠に脱着可能とした、
ことを特徴とした分離式看板。
【請求項３】
請求項１又は請求項２記載の分離式看板において、
パネル枠は四周にフレーム枠を備え、
前記フレーム枠は個別に起立・倒伏（起伏）可能であり、倒伏してパネルの周縁部を押さえ、起立してパネルの押さえを解放してパネルの取り外しが可能となるようにした、
ことを特徴とした分離式看板。
【請求項４】
天井の下に看板を吊下げる看板吊下げ構造において、
天井の下まで突出している天吊り棒に天吊り枠が取り付けられ、
前記天吊り枠に本発明の請求項１から請求項３のいずれか１項に記載の分離式看板の枠本体が取り付けられ、
前記枠本体にパネル枠を脱着自在に取り付け、
天吊り枠は天吊り棒に高さ及び下向き前傾角度を調整可能であり、その調整に伴って、天吊り枠に係止された看板も高さ及び下向き前傾角度を調整可能である、
ことを特徴とした看板吊下げ構造。
【発明の詳細な説明】
【技術分野】
【０００１】
本発明は、枠本体と、商品写真や料金等が表示されたパネルを内装できるパネル枠を脱着可能とした分離式看板と、看板吊下げ構造に関し、アイスクリーム販売専門店、コンビニエンスストア、ファストフード店等の各種店舗に吊下げる吊下げ看板（内照式看板を含む。）として使用するのに適するものである。
【背景技術】
【０００２】
店内に吊下げられる吊り看板のパネルに表示された商品写真や料金等は、商品の入れ替えや価格変更等に伴って交換する必要がある。吊下げ看板は、通常、来客の目に付き易いように、店内のレジの上や天井下の壁周り等に吊下げられているため、パネル交換作業は脚立や梯子を使用しての高所作業になり危険であった。吊り看板を下に降ろしてからパネル交換することもできるが、その場合も、降ろす際や、パネル交換後の吊下げは高所作業になり、危険が伴うのみならず、看板の裏蓋を外したり、付け直したりしなければならず交換作業が面倒でもあった。
【０００３】
、
パネル交換作業を容易にするため、近年は、看板の前面フレームを前開き式にして、裏蓋を取り外すことなく看板の前面からパネル交換できるようにしたもの（図示しない）や、看板は吊るしたままで、パネルセット部を引き下ろし可能とした吊り看板（特許文献１）などが提案されている。
【先行技術文献】
【特許文献】
【０００４】
【特許文献１】特開平７−７２８１６号公報
【発明の概要】
【発明が解決しようとする課題】
【０００５】
前記前開き式看板は、天井や壁面から取り外す必要がないため作業しやすいが、高所での交換作業が必要であることにおいて従来と変わりがなく、高所作業の危険性は解消されていない。特許文献１記載の吊り看板は高所作業は不要であるが、照明式看板（内照式看板）ではパネルセット部の引き下ろし構造が複雑になり内照式看板には不向きである。
【０００６】
本発明は床の上の作業テーブルの上でパネル交換ができ、高所でのパネル交換作業が不要であり、内照式看板にも利用可能な分離式看板と、吊下げが容易な看板吊り下げ構造を提供することにある。
【課題を解決するための手段】
【０００７】
本発明の分離式看板は、枠本体の前面にパネル枠が脱着可能である分離式看板において、枠本体はその上面横方向にガイド溝を備え、ガイド溝の前縁の溝方向少なくとも二箇所に開口部を備え、当該開口部は前記ガイド溝に連通し、パネル枠はパネルを交換可能であり、その背面上部の少なくとも二箇所に嵌合具を備え、当該嵌合具は前記開口部から前記ガイド溝内に出し入れでき、当該ガイド溝内で溝に沿ってスライドできてパネル枠を枠本体の横幅方向所望位置にセットできるようにしてある。
【０００８】
枠本体はその背面に係止具を備え、その係止具を天井の下方に吊下げられている吊り枠に脱着可能とすることができる。枠本体は照明具を備え、その照明具により、枠本体の前面に取り付けられたパネル枠にセットされたパネルを背面側から照明できる内照式とすることができる。
【０００９】
前記パネル枠は四周にフレーム枠を備え、それらフレーム枠は個別に起立・倒伏（起伏）可能であり、倒伏してパネルの周縁部を押さえ、起立してパネルの押さえを解放してパネルの取り外しが可能となるようにしてある。
【００１０】
本発明の看板吊下げ構造は、天井の下まで突出している天吊り棒に天吊り枠が取り付けられ、その天吊り枠に前記分離式看板の枠本体が取り付けられ、その枠本体にパネル枠を脱着自在に取り付けたものである。この場合、天吊り枠は天吊り棒に高さ及び下向き前傾角度を調整可能としてある。
【発明の効果】
【００１１】
本発明の分離式看板には次の効果がある。
（１）パネル枠を持ち上げて、上方に吊下げられている枠本体に脱着できるので、パネル交換を床の上や作業テーブルの上で行うことができ、高所作業が不要であり危険性がない。
（２）枠本体の開口部にパネル枠の嵌合具を出し入れするだけで、枠本体へのパネル枠の取り付け取り外しが簡便にできる。
（３）パネル枠を枠本体のガイド溝に沿って横スライドできるため、枠本体へ取り付けるパネル枠の横位置調整が容易にできる。
（４）パネル枠の四周のフレームが個別に起伏可能であるため、フレームを起立させればパネル枠の前面からパネル交換ができ、簡便にパネル交換が出来る。
【００１２】
本発明の看板吊り下げ構造には次の効果がある。
（１）天井の下の天吊り枠に枠本体を取り付けておき、その枠本体にパネル枠を脱着自在であるため、枠本体からパネル枠を外して手軽にパネル交換ができる。
（２）天吊り枠が高さ及び前傾角度を調整可能であるため、来客が見易い高さ、角度に設置することができる。
【図面の簡単な説明】
【００１３】
【図１】本発明の分離式看板の一例を示す分解斜視図。
【図２】（ａ）はパネル枠の固定材の一例を示す斜視図、（ｂ）はパネル枠の可動材の一例を示す斜視図、（ｃ）は（ａ）の固定材に（ｂ）の可動材をセットした状態の端面図、（ｄ）は枠本体にパネル枠をセットした状態の断面図。
【図３】（ａ）はパネル枠の嵌合具の一例を示す斜視図、（ｂ）は（ａ）のＺ−Ｚ矢視図、（ｃ）はパネル枠の嵌合具を枠本体のガイド溝にセットした状態の一例を示す断面図。
【図４】本発明の看板吊下げ構造の一例を示す説明図。
【図５】本発明の看板吊下げ構造の天吊り枠と看板との関係を示す斜視図。
【図６】（ａ）は本発明の看板吊下げ構造における天吊り棒と天吊り枠の連結構造の説明図、（ｂ）は天吊り棒と天吊り枠の連結に使用する連結具の正面図、（ｃ）は天吊り棒と天吊り枠の連結に使用する連結具の背面図。
【発明を実施するための形態】
【００１４】
（分離式看板の実施形態）
本発明の分離式看板１の一例を、図面を参照して説明する。一例として図１に示す分離式看板１は、枠本体２の前面にパネル枠３を脱着可能としたものである。枠本体２は図５のように天吊り枠Ｈに取り付けることができ、パネル枠３は商品写真や料金といった各種情報を表示するパネル５を取り付け可能なものである。
【００１５】
枠本体２（図１）は四角形で前面開口の箱型であり、その内部に照明具（例えば、ＬＥＤ）、照明具の点灯・制御に必要な電源回路、制御回路等の照明装置が内蔵されて、照明具からの照明光により、その前面に取り付けられたパネル枠３（図１）にセットされているパネル５を、背面側から照明できる内照式としてある。枠本体２の背面四隅付近には係止具Ｆ（図５）があり、それら係止具Ｆを天井の下方に吊下げられている天吊り枠Ｈ（図５）の横材Ｌに脱着可能としてある。照明装置の電源は商用電源とすることも電池とすることもできる。照明装置はない場合もある。
【００１６】
枠本体２は、その上枠材６（図１）の横方向にガイド溝７（図１）を備え、ガイド溝７の前縁８の溝方向少なくとも二箇所に開口部９（図１）を備え、当該開口部９は前記ガイド溝７に連通している。開口部９は枠本体２の前面に取り付けるパネル枠３の嵌合具１０（図１）を出し入れする箇所であり、ガイド溝７は開口部９から差し込んだ嵌合具１０がスライドできる溝である。
【００１７】
枠本体２の下枠材１１（図１）には、パネル枠３を固定するための連結受け具１２が取り付けられている。連結受け具１２には例えば磁石、金属片、面状ファスナー等を使用することができる。
【００１８】
［パネル枠］
パネル枠３は上下、左右の四本のフレーム材（枠材）１３が四つの「く」字状のコーナー部材１４で四角形に連結されている。枠材１３には図２（ｃ）に示す枠材を使用することができる。この枠材１３は固定材１５（図２（ａ））と可動材１６（図２（ｂ））を組み合わせてある。前記固定材１５（図２（ａ））はパネル枠３の上面となる上片１７と、側面となる側片１８と、湾曲溝１９を備えている。この湾曲溝１９内に可動材１６（図２（ｂ））の湾曲回転部２０を押し込むと、図２（ｃ）に示すように、可動材１６がＸ−Ｙ方向に回転できるようにしてある。これら固定材１５の受縁２１の上（内側）に図２（ｄ）のように保護板（カバー）２２を配置し、その内側にパネル５を重ねてセットしてから可動材１６を図２（ｃ）の矢印Ｘ方向に回転させてパネル５の上に倒すと、可動材１６の押し部２３がカバー２２及びパネル５を固定材１５の受縁２１に押して固定することができる。この状態で可動材１６を図２（ｃ）の矢印Ｙ方向に回転させて（戻して）引き起こすと、カバー２２及びパネル５の固定が解除されて、パネル５を取り外すことができるようにしてある。
【００１９】
前記可動材１６は遮光性のある材質製或いは構造とするのが好ましい。このようにすることにより、内照式看板の場合、当該可動材１６を取り付けた箇所から光が外部（パネル枠３の前面）に洩れるのを防止することができる。可動材１６の押し部２３には接着剤や両面テープなどの接着手段を設けることができ、それらを設けることにより、パネル５の位置ずれを防止することができる。
【００２０】
パネル枠３の上枠材１３ａ（図１）の背面二箇所には嵌合具１０（図１）を設けてある。この嵌合具１０は枠本体２の前記開口部９（図１）から前記ガイド溝７（図１）内に出し入れすることができ、ガイド溝７内で溝に沿ってスライドさせて、パネル枠３を枠本体２の横方向所望位置にセットできるようにするものである。
【００２１】
前記嵌合具１０の一例を図３（ａ）、（ｂ）に示す。この嵌合具１０は湾曲基材２４と係止片２５を備えている。湾曲基材２４はパネル枠３（図１）の上枠材１３ａの湾曲溝１９（図２（ａ））内に回転可能に押し込み可能な湾曲形状である。前記係止片２５（図３（ａ））は枠本体２の開口部９（図１）に出し入れできる横幅であり、枠本体２のガイド溝７（図１）内をスライドできる板状であり、下端部を図３（ａ）のように、やや「く」字状に曲げて開口部９に出し入れし易くしてある。この係止片２５はその裏面に配置したパイプ２６（図３（ｂ））内に差し込んだネジ２７で湾曲基材２４に固定してある。嵌合具１０はこれ以外の形状、構造であってもよい。
【００２２】
パネル枠３の下枠材１３ｂ（図１）の背面には連結材２８が取り付けられている。この連結材２８は枠本体２の前記連結受け具１２（図１）に吸着或いは係止して、パネル枠３を枠本体２に位置決めして固定するものであるため、前記連結受け具１２と吸着或いは係止可能なもの、例えば、磁石、金属、面状ファスナー等を使用することができる。図１に示す例では連結受け具１２、連結材２８は一つであるが二以上設けることもできる。
【００２３】
[パネル]
パネル５（図２（ｄ））はプラスチック製のシートや薄板などであり、前面に商品写真や商品価格等が表示されている。パネル５は内照式看板の場合は照明光が透過する透明、半透明の材質を使用する。材料はプラスチック以外であってもよい。
【００２４】
[カバー]
カバー２２（図２（ｄ））は透明板であり、パネル５の前面に配置して、前方へのパネル５の撓みを防止し、パネル５の傷付きを防止する（保護する）ためのものである。
【００２５】
（看板吊下げ構造の実施形態）
本発明の看板吊下げ構造の一例を、図面を参照して説明する。本発明の分離式看板１は、各種分野で使用可能であるが、一例としては図４、図５のようにとして店舗の天井下に吊下げて使用することができる。前記した店舗をはじめとする各種店舗には吊り看板がある。通常、店舗の天井裏には、図４のように、吊り具Ａで吊るされた野縁受けＢに複数本の野縁Ｃが格子状に連結されている。本発明の分離型看板１（図１）はこの天井裏構造を利用して吊下げることができる。具体的には、平行な二本の野縁Ｃの上に架設材（チャンネル材）Ｄを渡して架設し、その架設材Ｄから天吊り棒Ｇを吊下げ、その天吊り棒Ｇに天吊り枠Ｈを取り付け、その天吊り枠Ｈに本発明の分離式看板１を取り付ける。天吊り枠Ｈは二本の横材Ｌと二本の縦材Ｍで四角形に連結されている。
【００２６】
本発明の分離式看板１の天井下への吊下げは、より具体的には次のようにして行うことができる。
（１）分離式看板１の枠本体２の背面の係止具Ｆを、天吊り枠Ｈ（図４）の上下の横材Ｌに係止し、図示しないビス等によって枠本体２を天吊り枠Ｈに固定する。
（２）パネル枠３（図１）を両手で持ち上げて、その背面の嵌合具１０を枠本体２の開口部９からガイド溝７に押し込み、パネル枠３をガイド溝７に沿って横スライドさせて所定位置にセットする。
（３）パネル枠３（図１）の背面下部に設けた連結材２８（図１）を枠本体２の連結受け具１２に固定して枠本体２へのパネル枠３の取り付けを完了する。
【００２７】
（パネル交換）
図５のように吊下げられている看板のパネルは次のようにして交換することができる。
（Ａ）パネル枠３を両手で持って、パネル枠３の下側の連結材２８を枠本体２の連結受け具１２から外す。
（Ｂ）パネル枠３を上方に持ち上げて、ガイド溝７内の嵌合具１０（図１）をガイド溝７に沿って横スライドさせ、嵌合具１０を枠本体２の開口部９から手前に引き出し、パネル枠３を枠本体２から取り外す。外したパネル枠３は床の上の作業テーブルの上に置くことができる。
（Ｃ）作業テーブルの上のパネル枠３の可動材１６（図２（ｃ））を矢印Ｙ方向に引き起こしてパネル５の押し（保持）を解放してからパネル５（図２（ｄ））を取り外す。
（Ｄ）可動材１６（図２（ｃ））を開いた状態で、新しいパネルをセットしてから、可動材１６を図２（ｃ）の矢印Ｘ方向に倒して（元に戻して）、可動材１６の押し部２３でパネル５を固定材１５の受縁２１に押して、パネル５をカバー２２と共に固定する。
（Ｅ）新しいパネルと交換したパネル枠３は、前記（２）、（３）のようにして枠本体２に係止する。
【００２８】
本発明の分離式看板を吊下げる天吊り枠Ｈは、図６（ａ）〜（ｃ）に示す連結具３０を二つ使用して天吊り棒Ｇに連結することができる。図６（ｂ）、（ｃ）に示す二つの連結具３０は同じ構造であり、一方は前面側から他方は背面側から見たものである。この連結具３０は天吊り棒Ｇの凹溝Ｊ内に嵌入されて縦方向にスライド可能な縦スライド板Ｋと、天吊り枠Ｈの凹溝Ｎ内に嵌入されて斜め上下方向にスライド可能な傾斜スライド板Ｏを備えている。縦スライド板Ｋには縦突板ＰがＴ字状に突設され、傾斜スライド板Ｏには傾斜突板ＱがＴ字状に突設されている。縦突板Ｐと傾斜突板ＱをピンＲで回転可能に連結することにより、縦突板Ｐと傾斜突板ＱがピンＲを回転軸として回転動作（回動）可能に連結されている。
【００２９】
［天吊り棒と天吊り枠の連結構造］
連結具３０で天吊り棒Ｇに天吊り枠Ｈを連結するには、図６（ａ）のように、二つの連結具３０夫々の縦スライド板Ｋを天吊り棒Ｇの前面の凹溝Ｊと背面の凹溝Ｊに嵌入してネジ止めし、二つの連結具３０の夫々の傾斜スライド板Ｏを天吊り枠Ｈの凹溝Ｎ内に嵌入してネジ止めすることにより、天吊り棒Ｇの下端側に天吊り枠Ｈを吊下げることができる。この場合、天吊り棒Ｇの前面の凹溝Ｊに嵌入した縦スライド板Ｋの高さ位置を天吊り棒Ｇの背面の凹溝Ｊに嵌入した傾斜スライド板Ｏの高さ位置よりも高くすることにより、天吊り枠Ｈが天吊り棒Ｇの軸線よりも斜め下向きに前下りに傾斜（前傾）し、天吊り枠Ｈの前面に図５のように取り付ける看板５も斜め下向きに前傾するようにしてある。
【００３０】
［吊り枠の高さ調節と前傾角度調整］
図５のように前傾して取り付けられた天吊り枠Ｈは、天吊り棒Ｇの前面の凹溝Ｊに嵌入した縦スライド板Ｋの高さと、天吊り棒Ｇの背面の凹溝Ｊに嵌入した縦スライド板Ｋの高さを変えることにより高さ調節することができる。両スライド板Ｋ、Ｏを平行にして同じ寸法だけ上昇させることにより天吊り枠Ｈを同じ前傾角度のまま高くすることができ、両スライド板Ｋ、Ｏを平行にして同じ寸法だけ降下させることにより天吊り枠Ｈを同じ前傾角度のまま低くすることができる。高さ調節は天吊り棒Ｇの長さを変えることにより行うこともできる。
【００３１】
前記両スライド板Ｋ、Ｏのいずれか一方の高さ位置を変えることにより前傾角度を変えることができる。一例として、天吊り棒Ｇの背面の凹溝Ｊに嵌入した縦スライド板Ｋの位置を変えずに、天吊り棒Ｇの前面の凹溝Ｊに嵌入した縦スライド板Ｋの高さを高くすることにより、天吊り枠Ｈが起き上がり（前傾角度が小さくなり）、逆に、天吊り棒Ｇの前面の凹溝Ｊに嵌入した縦スライド板Ｋの位置を変えずに、天吊り棒Ｇの背面の凹溝Ｊに嵌入した縦スライド板Ｋの高さを高くすることにより、天吊り枠Ｈが前下がりになる（前傾角度が大きくなる）。このように、天吊り枠Ｈを高さ調節したり前傾角度を調節したりして下方から見易い高さと前傾角度に調節することができる。
【００３２】
天吊り枠Ｈを高さ調節する場合は、天吊り棒Ｇの前面の凹溝Ｊ内に縦スライド板Ｋを固定しているネジと、天吊り棒Ｇの背面の凹溝Ｊ内に縦スライド板Ｋを固定しているネジのいずれか一方を取り外してから、その縦スライド板Ｋを上昇又は降下させ、所定位置でネジ止めし、他方のネジを取り外して、その縦スライド板Ｋを上昇又は降下させて所定位置でネジ止めすることにより、天吊り枠Ｈを高さ調節することがきる。このとき、天吊り棒Ｇの前面の凹溝Ｊ内に嵌入されている縦スライド板Ｋの上昇長又は降下長と天吊り棒Ｇの背面の凹溝Ｊ内に嵌入されている縦スライド板Ｋの上昇長又は降下長を同じにすると、天吊り枠Ｈは前記前傾角度が維持されたまま昇降する。
【００３３】
天吊り枠Ｈの前傾角度を小さくする場合は、前記のように、天吊り棒Ｇの背面の凹溝Ｊ内に嵌入されている縦スライド板Ｋの位置をそのままにして、天吊り棒Ｇの前面の凹溝Ｊ内に嵌入されている縦スライド板Ｋを止めているネジを取り外してから、その縦スライド板Ｋを上昇スライドさせてその位置を高くすればよい。
【００３４】
天吊り枠Ｈの前傾角度を大きくする場合は、前記のように、天吊り棒Ｇの背面の凹溝Ｊ内に嵌入されている縦スライド板Ｋの位置をそのままにして、天吊り棒Ｇの前面の凹溝Ｊ内に嵌入されている縦スライド板Ｋを止めているネジを取り外してから、その縦スライド板Ｋを降下スライドさせてその位置を低くすればよい。
【産業上の利用可能性】
【００３５】
本発明の分離式看板は、例えば、駅構内、空港内等の公共施設の案内看板、その他の施設の宣伝用看板といった、各種分野に取り付けることができる。吊下げ看板として利用することもできる。
【符号の説明】
【００３６】
１    分離式看板
２    枠本体
３    パネル枠
４    天吊り枠
５    パネル
６    （枠本体の）上枠材
７    ガイド溝
８    ガイド溝の前縁
９    開口部（嵌合受部）
１０  嵌合具
１１  （枠本体の）下枠材
１２  連結受け具
１３  （パネル枠の）枠材
１３ａ  （パネル枠の）上枠材
１３ｂ  （パネル枠の）下枠材
１４  コーナー部材
１５  固定材
１６  可動材
１７  （固定材の）上片
１８  （固定材の）側片
１９  湾曲溝
２０  湾曲回転部
２１  （固定材の）受縁
２２  保護板（カバー）
２３  （可動材の）押し部
２４  （嵌合具の）湾曲基材
２５  （嵌合具の）係止片
２６  パイプ
２７  ネジ
２８  連結材
３０  連結具
Ａ    吊り具
Ｂ    野縁受け
Ｃ    野縁
Ｄ    架設材（チャンネル材）
Ｆ    係止具
Ｇ    天吊り棒
Ｈ    天吊り枠
Ｊ    （天吊り棒の）凹溝
Ｋ    縦スライド板
Ｌ    （天吊り枠の）横材
Ｍ    （天吊り枠の）縦材
Ｎ    （天吊り枠の）凹溝
Ｏ    傾斜スライド板
Ｐ    縦突板
Ｑ    傾斜突板
Ｒ    ピン
【要約】
【課題】  高所でのパネル交換作業が不要であり、内照式看板にも利用可能な分離式看板と、吊下げが容易な看板吊下げ構造を提供することにある。
【解決手段】  枠本体とパネル枠が分離され、枠本体は上面横方向にガイド溝を備え、ガイド溝の前縁の溝方向少なくとも二箇所に開口部を備え、当該開口部は前記ガイド溝に連通し、パネル枠はパネルを交換可能であり、その背面上部の少なくとも二箇所に嵌合具を備え、当該嵌合具は前記開口部から前記ガイド溝内に出し入れでき、当該ガイド溝内で溝に沿ってスライドできてパネル枠を枠本体の横幅方向所望位置にセットできるようにした。枠本体はその背面に係止具を備え、その係止具を天井の下方に吊下げられている天吊り枠に脱着可能とした。
【選択図】  図１【図１】
0005547308.tif 000002
【図２】
0005547308.tif 000003
【図３】
0005547308.tif 000004
【図４】
0005547308.tif 000005
【図５】
0005547308.tif 000006
【図６】
0005547308.tif 000007